(57)【要約】【課題】電気回路の接触不良を生じない簡便な乾電池の充填方法及び、この乾電池の充填方法を用いた懐中電灯を提供する。【解決手段】乾電池２を収納する乾電池収納部３に、１の乾電池２ａの正極端子１５と他の乾電池２ｂの負極端子１６とを当接させ２個以上の乾電池２を直列に充填する乾電池の充填方法において、当接する１の乾電池２ａの正極端子１５又は当接する他の乾電池２ｂの負極端子１６の少なくともいずれか一方に油３１を塗付し、該乾電池２を該乾電池収納部３に直列に充填する。【選択図】図１
2006196215.tif 000002
【特許請求の範囲】
【請求項１】
乾電池を収納する乾電池収納部に、１の乾電池の正極端子と他の乾電池の負極端子とを当接させ２個以上の乾電池を直列に充填する乾電池の充填方法において、
当接する１の乾電池の正極端子又は当接する他の乾電池の負極端子の少なくともいずれか一方に油を塗付し、該乾電池を該乾電池収納部に直列に充填することを特徴とする乾電池の充填方法。
【請求項２】
２個以上の乾電池を直列に収納する乾電池収納部を含み、請求項１に記載の乾電池の充填方法により充填された乾電池を含むことを特徴とする懐中電灯。
【発明の詳細な説明】
【技術分野】
【０００１】
本発明は、２個以上の乾電池を乾電池収納部に直列に充填する乾電池の充填方法及びこの乾電池の充填方法を用いた懐中電灯に関する。
【背景技術】
【０００２】
周知のように乾電池には、円筒形の形をした単１形から単５形の筒型乾電池と腕時計などに使用されるボタン型乾電池などがある。筒型乾電池はその利便性、機能の点から懐中電灯、灯油を給油する電動式ポンプを始め多くの製品に使用されている。当発電所においても、夜間のパトロール時や、暗い場所での機器、装置の点検の際、懐中電灯を照明としてよく利用している。
【０００３】
いざ懐中電灯を使用しようとすると点灯しないことや、使用中に突然消灯することもよく経験するところである。懐中電灯の不点灯や突然の消灯は、ランプのフィラメントが破損している場合のほか、乾電池の消耗、あるいは電気回路の接触不良に起因することが多い。懐中電灯の電気回路の接触不良を防止する技術として、乾電池を直列に充填し使用する懐中電灯において、乾電池を当接させるための金属製のバネを弾性体で補強する技術が開示されている（例えば特許文献１参照）。
【特許文献１】特開２００３−１０９４２６号公報
【発明の開示】
【発明が解決しようとする課題】
【０００４】
特許文献１に記載の技術は、乾電池を直列に充填し使用する懐中電灯において、乾電池と乾電池とを当接させるための金属製のバネを弾性体で補強することで、バネの機械的疲労を防止し、電気回路の接触不良を防止するとするものであるが、バネの機械的疲労が生じていない場合であっても、電気回路の接触不良が生じる場合がある。
【０００５】
本発明の目的は、電気回路の接触不良を生じない簡便な乾電池の充填方法及び、この乾電池の充填方法を用いた懐中電灯を提供することにある。
【課題を解決するための手段】
【０００６】
本発明者は、筒型乾電池を直列に充填し使用する懐中電灯の電気回路の接触不良の要因を詳細に検討した結果、電池相互間の接触に原因があることを見出し、本発明をなした。
【０００７】
すなわち本発明は、乾電池を収納する乾電池収納部に、１の乾電池の正極端子と他の乾電池の負極端子とを当接させ２個以上の乾電池を直列に充填する乾電池の充填方法において、
当接する１の乾電池の正極端子又は当接する他の乾電池の負極端子の少なくともいずれか一方に油を塗付し、該乾電池を該乾電池収納部に直列に充填することを特徴とする乾電池の充填方法である。
【０００８】
また本発明は、２個以上の乾電池を直列に収納する乾電池収納部を含み、請求項１に記載の乾電池の充填方法により充填された乾電池を含むことを特徴とする懐中電灯である。
【発明の効果】
【０００９】
本発明の乾電池の充填方法は、乾電池を収納する乾電池収納部に、１の乾電池の正極端子と他の乾電池の負極端子とを当接させ２個以上の乾電池を直列に充填する乾電池の充填方法において、当接する１の乾電池の正極端子又は当接する他の乾電池の負極端子の少なくともいずれか一方に油を塗付し、乾電池を乾電池収納部に直列に充填するので、乾電池相互間の接触不良を防止することができる。また当接する１の乾電池の正極端子又は当接する他の乾電池の負極端子の少なくともいずれか一方に油を塗付する方法なので、簡単に実施することができる。
【００１０】
また本発明の懐中電灯は、２個以上の乾電池を直列に収納する乾電池収納部を含み、当接する１の乾電池の正極端子又は当接する他の乾電池の負極端子の少なくともいずれか一方に油を塗付し、２個以上の乾電池を直列に乾電池収納部に充填するので、電池相互間の接触不良を防止することが可能で、使用時の不意の消灯を抑制することができる。
【発明を実施するための最良の形態】
【００１１】
図１は本発明の実施の一形態としての懐中電灯１の概略的構成を示す図である。懐中電灯１は、筒型乾電池２（２ａ〜２ｃ）を直列に収納する乾電池収納部３を備える本体４と、本体４の一端に装着されるランプ部５と、を含み構成される。本体４は、ランプ部５と相対する一端に、着脱可能に装着される蓋６を備え、蓋６は、筒型乾電池２を押圧するための金属製の弾性体７を有する。乾電池収納部３は、筒型乾電池２を収納可能なように横断面形状が円形であり、筒型乾電池２を充填した際、筒型乾電池２が乾電池収納部内で乾電池２の短手方向に大きく移動しないように筒型乾電池２とわずかな隙間をもって形成される。
【００１２】
ランプ部５は、照明用のランプ８と、ランプホルダ９と、反射板１０と、ランプ保護用のカバー１１を含み構成され、ランプホルダ９の一端は、筒型乾電池２ｃの正極端子と当接する。筒型乾電池２は、本体４に着脱可能に設けられた蓋６を取り外し、ここから充填され乾電池収納部３に収納される。筒型乾電池２を充填し蓋６を取付けると、蓋６に設けられた弾性体７が乾電池を押圧し、筒型乾電池同士２ａと２ｂ、２ｂと２ｃ、筒型乾電池２ｃとランプホルダ９とが当接する。これにより電気回路が形成され、本体４に設けられたスイッチ１２を入り切りすることで、懐中電灯を点灯、消灯させることができる。
【００１３】
以上説明した懐中電灯１及びその使用方法は、従来から用いられている懐中電灯及び懐中電灯への乾電池の充填方法であるが、本発明は、筒型乾電池を乾電池収納部に直列に充填するときに、乾電池の正極端子又は乾電池の負極端子の少なくともいずれか一方に油を塗付し充填する方法を採用する。これにより乾電池相互間の接触不良が防止され、使用の際の点灯が確実となり、使用時の不意の消灯が抑制される。
【００１４】
本発明の乾電池の充填方法を以下に詳述する。乾電池収納部３には、３個の乾電池２ａ、２ｂ、２ｃが直列に充填される。乾電池収納部３に収納された筒型乾電池２の正極端子又は負極端子が接触する個所は図１に示すように、バネ７と筒型乾電池２ａの負極端子１３とが接触する第１接触部１４、筒型乾電池２ａの正極端子１５と乾電池２ｂ負極端子１６とが接触する第２接触部１７、筒型乾電池２ｂの正極端子部１８と乾電池２ｃの負極端子１９とが接触する第３接触部２０、及び筒型乾電池２ｃの正極端子２１とランホルダ９の一端２２とが接触する第４接触部２３とがある。
【００１５】
本発明の乾電池の充填方法においては、少なくとも乾電池相互間の接触不良、つまり第２接触部１７及び第３接触部２０の接触不良を防止することを目的とする。第２接触部１７の接触不良を防止するために、乾電池２ａの正極端子１５、又は乾電池２ｂの負極端子部１６の少なくともいずれか１方に油を塗付し、乾電池２ａと乾電池２ｂとを当接するように充填する。これにより第２接触部１７の接触不良を防止することができる。同様に乾電池２ｂの正極端子１８、又は乾電池２ｃの負極端子１９の少なくともいずれか１方に、油を塗付することで第３接触部２０の接触不良を防止することができる。
【００１６】
乾電池が接触する個所は、乾電池相互間以外にも上記のように筒型乾電池２ａの負極端子１３と弾性体７の一端とが接触する第１接触部１４、及び筒型乾電池２ｃの正極端子２１がランプホルダの一端２２と接触する第４接触部２３とがある。この接触個所１４、２３についても、必要に応じて弾性体７の一端、筒型乾電池２ａの負極端子１３、筒型乾電池２ｃの正極端子２１、又はランプホルダの一端２２に油を塗付すればよい。
【００１７】
乾電池を並列に使用する場合や、乾電池を直列に配置し使用する場合であっても乾電池相互間を導電体で接続して使用するような場合にも、接触個所に油を塗布することで接触不良の改善を図ることができる。
【００１８】
本発明の乾電池２への油の塗付の量は微量でよく、図２に示すように、スタンプ台３０などを利用して、油３１を充填したスタンプ台３０の弾性部３２に乾電池２を押し当てることで油３１を塗付することができる。油の塗付の方法は、この方法に限定されないので、油３１を染み込ませた布で乾電池２の正極端子又は負極端子を拭くような方法であってもよい。
【００１９】
本発明で使用する油の種類は特に限定されず、潤滑油を使用することができる。粘性の低いタービン油は好適に使用することができる。なお潤滑油の代わりにグリースを用いても、同様の効果を有することは実験で確認済みである。
【００２０】
以上、本発明の乾電池の充填方法は、乾電池を収納する乾電池収納体に、１の乾電池の正極端子と他の乾電池の負極端子とを当接させ、２個以上の乾電池を直列に充填し使用する機器に用いることができるので、懐中電灯のほか灯油を給油する際に使用する電動式ポンプなどに使用することができる。
【００２１】
（実施例１）本発明の乾電池の充填方法の効果を実施例に示す。
筒型乾電池を直列に充填して使用する懐中電灯の電気回路の接触不良を含めた不具合の原因を調査した結果を表１に示す。表１は、本発明の乾電池の充填方法を用いる前のデータである。
【００２２】
【表１】
2006196215.tif 000003
表１は約３月間に使用された懐中電灯のデータであって、不具合件数４０件のうち、電気回路の接触不良は２３件で全体の５８％であった。また電気回路の接触不良は、ほとんど電池相互間の接触不良に起因するものであった。
【００２３】
表２は、本発明実施後の懐中電灯の電気回路の接触不良を含めた不具合の原因を調査した結果である。表２の結果も約３月間に使用された懐中電灯のデータである。
【００２４】
【表２】
2006196215.tif 000004
表２に示すように、筒型乾電池の正極端子部にタービン油を塗付した後の電気回路の接触不良件数は、５件であった。本発明の乾電池の充填方法を採用することにより、乾電池相互間の接触不良が激減した。
【図面の簡単な説明】
【００２５】
【図１】本発明の実施の一形態としての懐中電灯１の概略的構成を示す図である。
【図２】本発明の乾電池の充填方法を用いる際の乾電池の正極端子への油の塗付方法を示す図である。
【符号の説明】
【００２６】
１                懐中電灯
２                筒型乾電池
３                乾電池収納部
１３、１６、１９  筒型乾電池負極端子
１５、１８、２１  筒型乾電池正極端子
３１              油
【図１】
2006196215.tif 000005
【図２】
2006196215.tif 000006